(57)【要約】【課題】記録媒体を突き当てて整列する機能を備えた記録装置において、記録媒体の整列を確実に行う。【解決手段】記録媒体１００の搬送経路Ａの上下に各々配設され、互いに対向して前記搬送経路Ａを構成する下案内面３２及び上案内面３３と、搬送経路Ａ内に進退可能に突出するシャッタ６０とを備え、シャッタ６０に記録媒体１００を突き当てて記録媒体１００の整列を行うドットインパクトプリンタ１０において、シャッタ６０には、記録媒体１００の幅方向に複数の突出部６２が間隔をあけて並べて配設され、これら複数の突出部６２は、搬送経路Ａにおける下案内面３２から上案内面３３へ向けて搬送経路Ａ内に突出し、上案内面３３には、突出部６２の位置に合わせて、突出部６２が突出したときに突出部６２の先端が入り込む貫通孔３３ａが形成されている。【選択図】図６
2009161314.tif 000002
【特許請求の範囲】
【請求項１】
記録媒体の搬送経路の上下に各々配設され、互いに対向して前記搬送経路を構成する案内面と、前記搬送経路内に進退可能に突出する整列用部材とを備え、前記整列用部材に記録媒体を突き当てて記録媒体の整列を行う記録装置において、
前記記録媒体の幅方向に、複数の前記整列用部材が間隔をあけて並べて配設され、これら複数の前記整列用部材は、前記搬送経路における一方の前記案内面から他方の前記案内面へ向けて前記搬送経路内に突出し、
他方の前記案内面には、前記整列用部材の位置に合わせて、前記整列用部材が突出したときに前記整列用部材の先端が入り込む進入部が形成されたこと、
を特徴とする記録装置。
【請求項２】
複数の前記整列用部材は、一方の前記案内面の内部に収容された一つの基部から前記搬送経路に向けて立設され、前記基部と一体となって移動することにより、一方の前記案内面を貫通して進退可能に構成されたこと、
を特徴とする請求項１記載の記録装置。
【請求項３】
他方の前記案内面に形成された前記進入部は、前記整列用部材を貫通させる貫通孔であること、
を特徴とする請求項１または２記載の記録装置。
【請求項４】
記録媒体の搬送経路の上下に各々配設され、互いに対向して前記搬送経路を構成する案内面を備えた記録装置において、前記記録媒体を整列させる整列機構であって、
前記記録媒体の幅方向に間隔をあけて並べて配設され、前記搬送経路における一方の前記案内面から他方の前記案内面へ向けて前記搬送経路内に進退可能に突出する複数の整列用部材と、
前記整列用部材に記録媒体を突き当てて記録媒体を整列させる搬送部と、を備え、
他方の前記案内面には、前記整列用部材の位置に合わせて、前記整列用部材が突出したときに前記整列用部材の先端が入り込む進入部が形成されたこと、
を特徴とする記録装置の整列機構。
【発明の詳細な説明】
【技術分野】
【０００１】
本発明は、記録媒体を突き当てて整列する整列用のシャッタを備えた記録装置、及び、記録装置の整列機構に関する。
【背景技術】
【０００２】
従来、記録装置本体の内部において搬送ローラに対し斜めに供給された記録媒体を、整列用のシャッタに突き当てて整列させる記録装置がある（例えば、特許文献１参照）。
【特許文献１】特開平９−３９３２２号公報
【発明の開示】
【発明が解決しようとする課題】
【０００３】
ところで、上記従来の構成においては、整列用のシャッタが整列動作の際に搬送経路を塞ぐように構成されている。
しかしながら、記録媒体の種類や形状等によっては、記録媒体が、搬送経路を塞ぐシャッタの先端にできる隙間に入り込んでしまい、記録媒体の整列を確実に行うことができないおそれがあった。
【０００４】
そこで本発明は、記録媒体を突き当てて整列する機能を備えた記録装置において、記録媒体の整列を確実に行うことを目的とする。
【課題を解決するための手段】
【０００５】
上記課題を解決するため、本発明は、記録媒体の搬送経路の上下に各々配設され、互いに対向して前記搬送経路を構成する案内面と、前記搬送経路内に進退可能に突出する整列用部材とを備え、前記整列用部材に記録媒体を突き当てて記録媒体の整列を行う記録装置において、前記記録媒体の幅方向に、複数の前記整列用部材が間隔をあけて並べて配設され、これら複数の前記整列用部材は、前記搬送経路における一方の前記案内面から他方の前記案内面へ向けて前記搬送経路内に突出し、他方の前記案内面には、前記整列用部材の位置に合わせて、前記整列用部材が突出したときに前記整列用部材の先端が入り込む進入部が形成されたことを特徴とする記録装置を提供する。
この構成によれば、記録媒体の搬送経路内に複数の整列用部材が間隔をあけて並べて配設され、整列用部材が一方の案内面から搬送経路内に突出すると、各々の整列用部材の先端が、他方の案内面において整列用部材の位置に合わせて複数形成された進入部の各々に入り込む。すなわち、上下方向に延びる複数の整列用部材が搬送経路内に並んで突出して搬送経路を塞ぎ、整列用部材の先端部は搬送経路から外れた進入部に達しているため、整列用部材と他方の案内面との間には、記録媒体の先端が入り込む隙間が無い。さらに、他方の案内面において隣接する各進入部の間には進入部が形成されていない部分が存在するため、この部分に突き当たることで、記録媒体の先端部が整列用部材と案内面との間に入り込むことが無い。このため、記録媒体に反りや曲がりを生じても、記録媒体が搬送経路から逸脱しないので、記録媒体が適正に整列用部材に突き当てられ、記録媒体を確実に整列できる。
また、整列用部材が突出する一方の案内面においても、整列用部材と案内面との間に記録媒体の先端が入り込む隙間が無い。このため、記録媒体が適正に整列用部材に突き当てられるので、記録媒体を確実に整列できる。
【０００６】
上記構成において、複数の前記整列用部材は、一方の前記案内面の内部に収容された一つの基部から前記搬送経路に向けて立設され、前記基部と一体となって移動することにより、一方の前記案内面を貫通して進退可能に構成されたものとしても良い。
この場合、複数の整列用部材が一つの基部と一体となって構成されるため、部品点数を削減できる。また、複数の整列用部材を個々に駆動する必要がなく、シンプルな構造で、記録媒体の整列機構を構成できる。さらに、一方の案内面からは複数の整列用部材が間隔をあけて並んで突出するため、一方の案内面と整列用部材との間に記録媒体の先端が入り込む隙間が無く、記録媒体の搬送経路からの逸脱を防止できる。これにより、記録媒体が適正に整列用部材に突き当てられるので、記録媒体を確実に整列できる。
【０００７】
上記構成において、他方の前記案内面に形成された前記進入部は、前記整列用部材を貫通させる貫通孔である構成としても良い。
この場合、整列用部材が他方の案内面を貫通し、整列用部材の先端が完全に搬送経路の外部に達するため、整列用部材と他方の案内面との間には記録媒体の先端が入り込む隙間が無い。このため、記録媒体が搬送経路から逸脱しないので、記録媒体が適正に整列用部材に突き当てられ、記録媒体を確実に整列できる。
【０００８】
また、本発明は、記録媒体の搬送経路の上下に各々配設され、互いに対向して前記搬送経路を構成する案内面を備えた記録装置において、前記記録媒体を整列させる整列機構であって、前記記録媒体の幅方向に間隔をあけて並べて配設され、前記搬送経路における一方の前記案内面から他方の前記案内面へ向けて前記搬送経路内に進退可能に突出する複数の整列用部材と、前記整列用部材に記録媒体を突き当てて記録媒体を整列させる搬送部と、を備え、他方の前記案内面には、前記整列用部材の位置に合わせて、前記整列用部材が突出したときに前記整列用部材の先端が入り込む進入部が形成されたことを特徴とする記録装置の整列機構を提供する。
この構成によれば、記録媒体の搬送経路の上下に各々配設された案内面を備えた記録装置において、記録媒体の幅方向に間隔をあけて並べて配設された複数の整列用部材が、一方の案内面から他方の案内面へ向けて搬送経路内に進退可能に突出し、この整列用部材に搬送部が記録媒体を突き当てて記録媒体を整列させる整列機構であり、他方の案内面には整列用部材の位置に合わせて、整列用部材が突出したときに整列用部材の先端が入り込む進入部が形成されているので、整列用部材が突出した状態では搬送経路が完全に塞がれるため、この整列用部材に記録媒体を突き当てることで確実に記録媒体を整列できる。特に、整列用部材の先端が進入部に入り込むことで、整列用部材と案内面との間の隙間に記録媒体が入り込むことがない。特に、各進入部の間には進入部が形成されていない部分が存在するため、この部分により記録媒体の先端部の進入が阻止される。このため、記録媒体に反りや曲がりを生じても、記録媒体が搬送経路から逸脱しないので、記録媒体が適正に整列用部材に突き当てられ、記録媒体を確実に整列できる。
【発明の効果】
【０００９】
本発明によれば、記録媒体を突き当てて整列する機能を備えた記録装置において、記録媒体の搬送経路からの逸脱を防ぎ、記録媒体の整列を確実に行うことができる。
【発明を実施するための最良の形態】
【００１０】
以下、図面を参照して本発明の実施の形態について説明する。
図１は、本発明を適用した実施形態に係る記録装置としてのドットインパクトプリンタ１０の外観を示す斜視図である。本実施形態のドットインパクトプリンタ１０は、複数の記録ワイヤ（図示略）を備えた記録ヘッド１８（図２および図３参照）を具備し、この記録ヘッド１８から、インクリボンを介して記録ワイヤを記録媒体１００へ向けて打ち出すことにより、記録媒体１００の記録面にドットを形成し、文字を含む画像を記録するものである。
このドットインパクトプリンタ１０により記録される画像は、１行または複数行からなり、行毎に記録が行われる。ここで、ドットインパクトプリンタ１０に外部の機器（ホストコンピュータ等）から画像の記録を指示する場合には、行単位、またはページ単位で指示を行うことができる。
【００１１】
ここで、ドットインパクトプリンタ１０において使用可能な記録媒体１００としては、所定長さに切断されたカットシート、複数枚のシートが連接された連続シート等がある。これらカットシートおよび連続シートは、普通紙、複写紙、厚紙等の紙類、あるいは合成樹脂製のシートにより構成され、これらのシートにコーティングや浸潤等の加工を施したものを用いてもよい。また、カットシートの形態としては、例えば、定形サイズのカット紙（ＰＰＣ用紙や葉書等）に加え、複数のシートを綴じた冊子形態のもの（通帳等）や袋状に成形されたもの（封筒等）が挙げられる。連続シートの形態としては、例えば、その幅方向両端にスプロケットホールが穿設され、所定長さ毎に折り畳まれた連続紙や、ロール状に巻かれたロール紙等が挙げられる。本実施の形態においては、ドットインパクトプリンタ１０により記録媒体１００に画像を記録する場合について説明する。記録媒体１００は、上記のカットシートや複写紙、通帳等であり、特に種類を限定せず説明する。
また、以下の説明において、図１に示すように、記録媒体１００の４辺のうち、ドットインパクトプリンタ１０へ向かって差し込まれる側に形成された辺を先端部１００ａとする。
【００１２】
図１に示すドットインパクトプリンタ１０は、カバー１２、上部ケース１３、および下部ケース１４からなる外装の中に、本体を収容した構成を有する。この外装は、上部に開閉可能に配設されたカバー１２の下に、上部ケース１３と下部ケース１４とが上下に連結されて構成される。この外装の前面には、上部ケース１３と下部ケース１４との境界部分に開口部が設けられ、この開口部は記録媒体１００を手差し供給するための手差口１５となっている。
【００１３】
図２は、ドットインパクトプリンタ１０の外装に収容されるプリンタ本体１１を示す斜視図である。また、図３は、ドットインパクトプリンタ１０の側断面図である。図３中に示す符号Ａは、記録媒体１００の搬送経路を示す。
図２および図３に示すように、プリンタ本体１１は、左サイドフレーム１６および右サイドフレーム１７を含む本体フレームを有する。この本体フレームには、記録ヘッド１８およびキャリッジ１９を含んで構成される記録機構部２０、記録ヘッド１８に対向するプラテン２１、第１搬送ローラ２２および第２搬送ローラ２３を備えた第１搬送機構部２４（搬送部）、及び、第３搬送ローラ２５および第４搬送ローラ２６を備えた第２搬送機構部２７を有している。
【００１４】
左サイドフレーム１６および右サイドフレーム１７は、プリンタ本体１１の左右両端部において互いに対向するよう立設される。この両サイドフレーム１６、１７間には、キャリッジ軸３１が架け渡され、さらに、両サイドフレーム１６、１７に跨って、平坦面形状の下案内面３２（一方の案内面）が固定して設けられる。そして、下案内面３２の上方には、下案内面３２に対向して上案内面３３（他方の案内面）が配設されている。下案内面３２と上案内面３３とは、記録媒体１００が搬送される搬送経路Ａを形成し、手差口１５（図１）から挿入された記録媒体１００は、下案内面３２と上案内面３３との間を通ってプラテン２１の方向へ搬送される。また、プラテン２１を挟んで後方側には、搬送経路Ａの後方側を構成する後方シート案内３４が配設されている。
【００１５】
上記第１搬送機構部２４は、プラテン２１よりも前側に位置し、第２搬送機構部２７は、プラテン２１の後側に位置する。
このうち、第１搬送ローラ２２および第３搬送ローラ２５は搬送経路Ａの下側に配置され、第２搬送ローラ２３および第４搬送ローラ２６は、搬送経路Ａの上側に配置される。記録媒体１００は、第１搬送ローラ２２と第２搬送ローラ２３との間、および、第３搬送ローラ２５と第４搬送ローラ２６との間に挟まれて、搬送経路Ａを搬送される。
ここで、第１搬送ローラ２２および第３搬送ローラ２５は、搬送モータ（図示略）および駆動輪列部２８によって回転駆動される駆動ローラである。これに対し、第２搬送ローラ２３および第４搬送ローラ２６は、それぞれ第１搬送ローラ２２および第３搬送ローラ２５に向けて所定の押圧力でばね付勢され、第１搬送ローラ２２および第３搬送ローラ２５の回転に伴って回転する従動ローラである。このため、第１搬送ローラ２２と第２搬送ローラ２３とは互いに反対方向に回転し、第３搬送ローラ２５と第４搬送ローラ２６とは互いに反対方向に回転して、記録媒体１００を搬送経路Ａ上の所定の搬送方向（図１〜図３において矢印Ｙ１で示す方向）に搬送する。
【００１６】
キャリッジ１９は、上述したように左サイドフレーム１６および右サイドフレーム１７に架け渡されたキャリッジ軸３１に摺動自在に挿通される。キャリッジ１９は、キャリッジ駆動モータ（図示略）に、タイミングベルト２９を介して連結され、キャリッジ駆動モータの正転または逆転により、キャリッジ軸３１に沿って走行（走査）される。このキャリッジ１９の走査方向を主走査方向とする。
このキャリッジ１９には、記録ヘッド１８が搭載される。記録ヘッド１８は、キャリッジ１９と一体となって、記録媒体１００の記録面上を主走査方向に沿って移動する。
また、キャリッジ１９または本体フレームには、インクリボンが折り畳まれた状態で収容されたリボンカートリッジ（図示略）が取り付けられる。このリボンカートリッジに収容されたインクリボンは一部が引き出されて記録ヘッド１８の先端に重なっている。そして、記録ヘッド１８は、主走査方向に走行される間に記録ワイヤを突出させて、インクリボンを介して記録媒体１００の記録面に打ち当て、インクリボンのインクを、プラテン２１と記録ヘッド１８との間に搬送される記録媒体１００に付着させて、この記録媒体１００に文字を含む画像を記録する。
【００１７】
記録ヘッド１８から突出する記録ワイヤの突出力は、付勢ばね（図示略）により記録ヘッド１８に向けて付勢されるプラテン２１によって受け止められる。プラテン２１は、キャリッジ１９の走行方向に延在する平面を有している。また、記録ヘッド１８には、記録ワイヤが突出する箇所の側方にガイドローラ４１が配設される。ガイドローラ４１は、記録ヘッド１８の走査方向に沿って回転自在に支持され、その下端は、記録ワイヤが打ち出されない状態において記録ヘッド１８の先端よりも下方に位置する。
【００１８】
そして、ドットインパクトプリンタ１０は、記録ヘッド１８の走査位置の近傍において記録媒体１００を検出する各種センサを備えている。
図３に示すように、記録ヘッド１８の後方側には、プラテン２１の上方に位置するように媒体幅センサ５５が配設される。媒体幅センサ５５は、キャリッジ１９に搭載されてキャリッジ１９とともにプラテン２１上を走査され、記録媒体１００の側端の位置や記録媒体１００の幅を求めるために使用される。
【００１９】
また、ドットインパクトプリンタ１０は、記録ヘッド１８の前側に位置する第１搬送ローラ２２および第２搬送ローラ２３の近傍においてもセンサを備えている。
図３に示すように、第２搬送ローラ２３の前方側、すなわち手差口１５側には、２個の挿入センサ５３が配設される。挿入センサ５３は、例えば記録媒体１００の搬送経路Ａを挟んで対向する発光部（ＬＥＤ等）と受光部（フォトトランジスタ等）により構成される透過型の光センサであり、第２搬送ローラ２３の前方側における記録媒体１００の有無を検出する。この挿入センサ５３により、手差口１５から手差し挿入された記録媒体１００が検出される。
また、第１搬送機構部２４の後方には、キャリッジ１９の主走査方向に沿って、８個の整列センサ５２が略等間隔で並べて配設される。これら８個の整列センサ５２は、例えば、挿入センサ５３と同様に、記録媒体１００の搬送経路Ａを挟んで対向する発光部（ＬＥＤ等）と受光部（フォトトランジスタ等）により構成され、記録媒体１００の有無を検出する。これら整列センサ５２は、後述する突出部６２が搬送経路Ａに突出した状態で、突出部６２に突き当てられた記録媒体１００の有無を検出する。これにより、整列センサ５２の出力に基づいて、突出部６２による整列後の記録媒体１００の搬送方向に対する傾きが、許容される傾きの範囲内にあるか否かを判定することができる。例えば、主走査方向に並ぶセンサのうち、隣り合う２個が記録媒体１００を同時に検出した場合、整列が完了したと判断される。
また、ドットインパクトプリンタ１０は、第１、第２シート搬送機構部２４，２７の駆動制御、キャリッジ１９の走行制御、記録ヘッド１８の記録ワイヤによる記録動作の制御等、ドットインパクトプリンタ１０全体を制御する制御部として、例えばプリンタ本体１１の後側の下方に、制御基板部５０を備えている。
【００２０】
ところで、プリンタ本体１１は、記録ヘッド１８により記録媒体１００に記録を行う前に、記録媒体１００を整列する整列機構部３０を備えている。整列機構部３０は、第１搬送ローラ２２、第２搬送ローラ２３、下案内面３２、上案内面３３、整列用部材としての突出部６２、及び突出部６２を駆動する整列モータ（図示略）を備えて構成される。整列機構部３０は、記録媒体１００の搬送経路Ａに突出した突出部６２に対し、記録媒体１００の先端部１００ａを突き当てることで記録媒体１００の向きを変え、記録媒体１００を整列することができる。
ここで、ドットインパクトプリンタ１０の整列に関わる動作を説明する。まず、電源投入時、整列用突出部６２が搬送経路Ａに突出する。次にドットインパクトプリンタ１０は、手差口１５から挿入される記録媒体１００を挿入センサ５３によって検出すると、第１搬送ローラ２２及び第２搬送ローラ２３を駆動する。そして、記録媒体１００は、第１搬送ローラ２２及び第２搬送ローラ２３により搬送され、突出部６２に対し先端部１００ａが突き当てられて整列が行われる。その後、ドットインパクトプリンタ１０は、突出部６２の前に並ぶ各整列センサ５２によって記録媒体１００の先端部１００ａの状態を検出し、整列が正しく実施されたか否かを判定する。この判定により、記録媒体１００の整列が正しく実施されたと判断された場合には、記録媒体１００を記録ヘッド１８へ搬送し、記録を実行する。一方、記録媒体１００の整列が正しく実施されていないと判断された場合には、ドットインパクトプリンタ１０は再度、整列動作を行うことができ、さらに、繰り返し整列動作を行っても整列ができなければ、記録媒体１００を手差口１５から排出する。
【００２１】
図３に示すように、突出部６２は、下案内面３２の下に位置する基部６１とともにシャッタ６０を構成する。記録媒体１００の幅方向に配置された全ての突出部６２は、一体となって基部６１から搬送経路Ａに向けて立設される。シャッタ６０は、第１搬送ローラ２２とプラテン２１との間に位置している。シャッタ６０は、記録媒体１００の幅方向に延在し、下案内面３２及び上案内面３３に対して垂直な板状部材である。シャッタ６０は、下案内面３２の下側に埋設され、整列モータの動作によって搬送経路Ａに進退可能に構成される。すなわち、シャッタ６０は、整列モータによって駆動されて上下に移動され、下案内面３２の下から搬送経路Ａに突出して進出し、あるいは、搬送経路Ａに突出した状態から下案内面３２よりも下方または下案内面３２と面一位置まで退避する。具体的には、シャッタ６０は、記録媒体１００を整列する際には、搬送経路Ａに突出して搬送経路Ａを塞ぎ、一方、記録媒体１００を記録ヘッド１８へ搬送する際は搬送経路Ａの下方に退避している。
【００２２】
図４は、整列機構部３０の要部断面視図であり、特に正面から見た図である。図５は、整列機構部３０の要部拡大平面図であり、特に上案内面３３の上方から見た図である。図６は、整列機構部３０の構成を示す要部側断面視図である。図４〜図６では、特にシャッタ６０が搬送経路Ａに最も突出した状態を示している。
図４に示すように、シャッタ６０は、搬送経路Ａにおいて記録媒体１００が挿入される範囲のほぼ全体に亘って延在している。突出部６２は、記録媒体１００の幅方向に沿って間隔をあけて並べて配設され、櫛歯状の先端部を構成している。
シャッタ６０が搬送経路Ａに最も突出した状態、すなわち、記録媒体１００を整列する際には、突出部６２は、下案内面３２及び上案内面３３を貫通し、突出部６２の先端は、上案内面３３の上方に突出している。
図５に示すように、突出部６２は、平面視では略矩形に形成されている。突出部６２が貫通する上案内面３３には、突出部６２より若干大きく形成された略矩形の貫通孔３３ａ（進入部）が形成されており、貫通孔３３ａは、突出部６２が貫通孔３３ａを貫通できるように、突出部６２が配設された位置に合わせて複数形成されている。
また、図４に示すように、下案内面３２にも貫通孔３３ａと同様に、突出部６２が配設された位置に合わせて貫通孔３２ａが間隔をあけて形成されており、突出部６２は、貫通孔３２ａを貫通して搬送経路Ａに突出する。
また、図５に示すように、上案内面３３には、間隔をあけて貫通孔３３ａが形成されているため、隣接する各々の貫通孔３３ａの間には、貫通孔３３ａが形成されずに残された桟部３３ｂが形成されている。さらに、下案内面３２にも同様に、間隔をあけて貫通孔３２ａが形成されおり、下案内面３２には桟部３２ｂ（図４）が形成されている。
【００２３】
記録媒体１００は、第１搬送ローラ２２と第２搬送ローラ２３とにより搬送されてシャッタ６０に突き当てられると、図６に示すように、記録媒体１００に反りが生じ、先端部１００ａがシャッタ６０と上案内面３３との隅部６３に当接する場合がある。この場合、図５に示すように、隅部６３において記録媒体１００の先端部１００ａは、突出部６２と先端部１００ａとが当接する突出部当接部６４と、上案内面３３の搬送経路Ａ側の面において、桟部３３ｂと先端部１００ａとが当接する桟部当接部６５とに当接して整列される。すなわち、突出部当接部６４においては、突出部６２が上案内面３３の貫通孔３３ａに入り込んでおり、突出部６２の先端は搬送経路Ａの外に達しているため、突出部６２と上案内面３３との間には先端部１００ａが入り込む隙間が無い。また、桟部当接部６５においては、先端部１００ａは桟部３３ｂに当接するため、貫通孔３３ａに先端部１００ａが入り込むことが防止される。これにより、記録媒体１００は適正にシャッタ６０に突き当てられるため、記録媒体１００が搬送経路Ａから逸脱しない。
また、先端部１００ａがシャッタ６０と下案内面３２との隅部６６（図６）に当接した場合には、先端部１００ａは、突出部６２及び下案内面３２の桟部３２ｂに突き当てられるため、先端部１００ａが貫通孔３２ａに入り込むことが防止される。これにより、記録媒体１００は適正にシャッタ６０に突き当てられるため、記録媒体１００が搬送経路Ａから逸脱しない。
【００２４】
ところで、従来のプリンタでは、突出部６２の先端が、上案内面３３の平坦な当接面に当接する構成のものがあり、例えば、先端部１００ａが突出部６２の先端にできる隙間に入り込んでしまう可能性が心配されていた。しかし、本実施の形態では、先端部１００ａは、突出部当接部６４に当接し、突出部６２と上案内面３３との間には先端部１００ａが入り込む隙間が無い。さらに、先端部１００ａは、桟部当接部６５にも突き当てられるため、先端部１００ａが上案内面３３の貫通孔３３ａに入り込むことを防止できる。これにより、記録媒体１００が搬送経路Ａから逸脱しないので、記録媒体１００が適正にシャッタ６０に突き当てられるため、記録媒体１００を確実に整列できる。
【００２５】
また、上案内面３３の貫通孔３３ａには面取り部３３ｃ（図６）が形成されているが、貫通孔３３ａと隣接して桟部３３ｂが形成されており、先端部１００ａは桟部３３ｂに当接するため、貫通孔３３ａに先端部１００ａが入り込むことが無い。また、突出部６２を確実に貫通孔３３ａに入り込ませるために、突出部６２の先端に面取り部を形成しても良く、突出部６２の先端は搬送経路Ａの外へ達しているため、突出部６２の先端の形状は整列に影響せず、突出部６２の先端の形状によらずシャッタ６０に記録媒体１００を突き当てて整列できる。
【００２６】
以上説明したように、本発明を適用した実施形態によれば、記録媒体１００の搬送経路Ａ内に複数の突出部６２が間隔をあけて並べて配設され、突出部６２が下案内面３２から搬送経路Ａ内に突出すると、各々の突出部６２が、上案内面３３において突出部６２の位置に合わせて複数形成された貫通孔３３ａの各々に入り込む。すなわち、複数の突出部６２が、搬送経路Ａ内に並んで突出して搬送経路Ａを塞ぎ、突出部６２の先端は、貫通孔３３ａに入り込んで搬送経路Ａの外へ達しているため、突出部６２と上案内面３３との間には、記録媒体１００の先端部１００ａが入り込む隙間が無い。さらに、上案内面３３には、桟部３３ｂが形成されているため、先端部１００ａが、突出部６２と上案内面３３との隅部６３に突き当てられた場合においても、先端部１００ａは桟部３３ｂに当接するため、貫通孔３３ａに入り込むことが無い。これにより、記録媒体１００が搬送経路Ａから逸脱しないので、記録媒体１００が適正にシャッタ６０に突き当てられるため、記録媒体１００を確実に整列できる。
また、突出部６２は下案内面３２から突出するので、下案内面３２においても、突出部６２と下案内面３２との間に先端部１００ａが入り込む隙間が無く、これにより、記録媒体１００が搬送経路Ａから逸脱しないので、記録媒体１００が適正にシャッタ６０に突き当てられるため、記録媒体１００を確実に整列できる。
【００２７】
また、シャッタ６０は、複数の突出部６２と一体に形成された基部６１を備えて構成されるため、部品点数を削減できる。また、突出部６２を個々に駆動する必要が無く、シンプルな構造で、記録媒体１００の整列機構を構成できる。また、下案内面３２からは、複数の突出部６２が間隔をあけて並んで突出するため、下案内面３２と突出部６２との間には記録媒体１００の先端部１００ａが入り込む隙間が無い。これにより、記録媒体１００が搬送経路Ａから逸脱しないので、記録媒体１００が適正にシャッタ６０に突き当てられるため、記録媒体１００を確実に整列できる。
また、突出部６２が上案内面３３の貫通孔３３ａを貫通し、突出部６２の先端が完全に搬送経路Ａの外部に達するため、突出部６２と上案内面３３との間には、先端部１００ａが入り込む隙間が無い。これにより、記録媒体１００が搬送経路Ａから逸脱しないので、記録媒体１００が適正にシャッタ６０に突き当てられるため、記録媒体１００を確実に整列できる。
【００２８】
なお、上記実施の形態は本発明を適用した一態様を示すものであって、本発明は上記実施の形態に限定されない。
例えば、上記実施の形態では、突出部６２は、上案内面３３の貫通孔３３ａを貫通するものとして説明したが、本発明はこれに限定されるものではなく、例えば、上案内面３３には凹部が設けられ、突出部６２がこの凹部に入り込む構成としても良い。また、上記実施の形態では、全ての突出部６２が、シャッタ６０の一つの基部６１と一体に形成され、シャッタ６０と一体に搬送経路Ａに突出するものとして説明したが、本発明はこれに限定されるものではなく、例えば、独立して配設された複数の整列用部材が個々に駆動されて搬送経路Ａに突出する構成としても良い。また、上記実施の形態では、シャッタ６０が、下案内面３２から搬送経路Ａに突出するものとして説明したが、本発明はこれに限定されるものではなく、例えば、上案内面３３から搬送経路Ａに突出し、下案内面３２に形成された進入部に整列用部材が入り込む構成としても良い。その他、細部構成についても任意に変更可能であることは勿論である。
また、本実施形態では、本発明をドットインパクトプリンタ１０に適用した場合について説明したが、本発明はこれに限定されず、インクジェット式プリンタや、感熱シートを用いるサーマルプリンタ、熱転写式プリンタ等の各種記録装置（プリンタ）、及び、ＡＴＭ等の装置の筐体に組み込まれて使用されるプリンタに対しても適用が可能である。
【図面の簡単な説明】
【００２９】
【図１】実施の形態に係るプリンタを示す斜視図である。
【図２】プリンタ本体を示す斜視図である。
【図３】プリンタ本体の側断面図である。
【図４】整列機構部の要部断面視図である。
【図５】整列機構部の要部拡大平面図である。
【図６】整列機構部の構成を示す要部側断面視図である。
【符号の説明】
【００３０】
１０…ドットインパクトプリンタ（記録装置）、１１…プリンタ本体、１８…記録ヘッド、１９…キャリッジ、２２…第１搬送ローラ、２３…第２搬送ローラ、２４…第１搬送機構部（搬送部）、３０…整列機構部、３２…下案内面（一方の案内面）、３２ａ…貫通孔、３２ｂ…桟部、３３…上案内面（他方の案内面）、３３ａ…貫通孔（進入部）、３３ｂ…桟部、６０…シャッタ、６１…基部、６２…突出部（整列用部材）、６３…隅部、６４…突出部当接部、６５…桟部当接部、１００…記録媒体、１００ａ…先端部、Ａ…搬送経路。
【図１】
2009161314.tif 000003
【図２】
2009161314.tif 000004
【図３】
2009161314.tif 000005
【図４】
2009161314.tif 000006
【図５】
2009161314.tif 000007
【図６】
2009161314.tif 000008